(57)【要約】【課題】モータの回転数を再生途中で切り替えることにより十分な再生能力保証のできる回転数以下の高速で回転させ、高速録音途中で速度切り替えする際にできる不要なトラックを除去することを目的とする。【解決手段】オペレーションコントローラ３は、高速録音キー４が押されるとＣＤドライブ１を第１の再生速度で再生させ、ＭＤドライブ２をそれに従う高速でＭＤに記録を開始し、所定の絶対時刻を過ぎた後のトラックとトラックの間で、第１の再生速度より速い第２の再生速度でＣＤドライブ１の再生とＭＤの記録を開始するために、高速録音をいったん停止させ、このときＣＤの停止タイミング遅れによってＭＤの最後に不要なトラックが記録される場合があり、再生、記録両ディスクのトラック数の増加分を比較し、記録ディスクのトラック数増加分が一つだけ大きいときは、ＭＤの最後のトラックを消去する。【選択図】図１
2005032370.tif 000002
【特許請求の範囲】
【請求項１】
第１の光ディスクにトラック単位で記録されたデジタルデータを、標準再生速度よりも速い再生速度で再生して、第２の光ディスクに記録する記録装置であって、
前記第１の光ディスクに記録されたデジタルデータを、前記標準再生速度と、前記標準再生速度よりも速い第１の再生速度と、この第１の再生速度よりも速い第２の再生速度とに切替えて再生することができる再生手段と、
前記再生手段が再生したデジタルデータを、前記再生速度に応じた速度で前記第２の光ディスクにトラック単位で記録する記録手段と、
前記再生手段の再生速度を、前記標準再生速度、前記第１の再生速度、および前記第２の再生速度のいずれかに制御し、このそれぞれの再生速度の間で切替える再生速度制御手段と、
前記デジタルデータが前記第１の再生速度で再生されているときに、前記第１の光ディスクの再生位置が所定の絶対時刻に達した後であって、かつトラックとトラックとの間であるか否かを判定する第１の判定手段と、
前記第１の光ディスクの再生位置が所定の絶対時刻に達した後のトラックとトラックの間において、第１の再生速度による再生内容の録音終了時点で、開始時点からの第１の光ディスクのトラック番号の増加分に対する第２の光ディスクに現在まで録音したトラック数増加分との比較結果が同一であるか１つ多いかを判定する第２の判定手段と、
前記第２の判定手段の判定結果に基づいて前記第２の光ディスクの最終トラックを消去する不要トラック消去手段とを備え、
前記第１の判定手段が前記再生位置が所定の絶対時刻に達した後であって、かつトラックとトラックとの間であると判定し、かつ前記第２の判定手段が前記第２の光ディスクに現在まで録音したトラック数増加分が、開始時点からの第１の光ディスクのトラック番号の増加分より１つ多いと判定した場合、前記不要トラック消去手段が第２の光ディスクの最終のトラックを消去した後、前記再生速度制御手段が前記第１の光ディスクを第２の再生速度に切り替え、第２の光ディスクに録音する録音装置。
【請求項２】
前記デジタルデータは、前記第１の光ディスクを再生中のトラックの情報およびこの第１の光ディスクの再生時間の情報を含んだサブコードを含んでおり、
前記第１の判定手段は、前記第１の光ディスクの再生中に、前記サブコードを参照して、前記第１の光ディスクの再生位置が所定の絶対時刻に達した後に、この再生位置がトラックとトラックとの間に達したと判定することを特徴とする、請求項１に記載の録音装置。
【請求項３】
前記第１の光ディスクには、各トラックの演奏開始時間の情報がＴＯＣ情報として記録されており、
前記デジタルデータは、前記第１のディスクの再生トラックの情報を含んだサブコードを含んでおり、
前記ＴＯＣ情報を読出す読出し手段をさらに備え、
前記第１の判定手段は、前記読出し手段が読み出した前記ＴＯＣ情報の各トラックの演奏開始時間を参照して、前記第１の光ディスクの再生位置が所定の絶対時刻に達するトラックを特定し、特定したトラックの次のトラックに再生位置が達したか否かを前記サブコードに含まれる前記再生トラックの情報によって判定することで、前記第１の光ディスクの再生位置が所定の絶対時刻に達した後に、この再生位置がトラックとトラックとの間に達したと判定する、請求項１に記載の録音装置。
【請求項４】
前記再生手段は、前記再生速度が前記第１の再生速度から前記第２の再生速度に切替えられた場合には、再生が完了したトラックの次のトラックから前記第２の再生速度で再生を行うことを特徴とする、請求項１に記載の録音装置。
【請求項５】
前記記録手段は、前記再生手段の再生速度が前記第１の再生速度から第２の再生速度に切替えられた場合には、前記第２の光ディスクに録音が完了しているトラックの次のトラックから前記第２の再生速度に対応した録音を開始することを特徴とする、請求項４に記載の録音装置。
【請求項６】
前記再生手段は、前記デジタルデータの再生時に、前記第１の光ディスクから読み出したデジタルデータを、前記記録手段に対して出力する前に一時的に蓄積する蓄積手段を含み、
前記再生手段の再生速度が前記第２の再生速度である場合に、前記蓄積手段に蓄積されている前記デジタルデータがなくなったか否かを判定する第３の判定手段をさらに備え、
前記再生速度制御手段は、前記第３の判定手段が前記蓄積手段に格納されている前記デジタルデータがなくなったと判定した場合には前記再生手段の再生速度を前記第２の再生速度から前記標準再生速度に切替える、請求項１に記載の録音装置。
【請求項７】
前記第１の判定手段は、前記デジタルデータが前記第１の再生速度で再生され前記第１の再生速度における最後のトラックに入った時点で、高速録音開始時点からの再生トラック数の増加分と録音トラック数の増加分とを比較してトラック数がずれているときは、再生速度を切り替えないと判定する、請求項１に記載の録音装置。
【発明の詳細な説明】
【技術分野】
【０００１】
本発明は、記録装置に関し、さらに詳しくは、第１の光ディスクにトラック単位で記録されたデジタルデータを、標準再生速度よりも速い再生速度で再生して第２の光ディスクに記録する記録装置に関する。
【背景技術】
【０００２】
近年、ＣＤやＤＶＤに代表される複数種類の光ディスクに記録されたデータを本来の再生速度より大きな速度で再生すると同時に、別の書込／書換可能な光ディスクに記録する光ディスク高速再生記録装置が開発されている。
【０００３】
このような光ディスク高速再生記録装置の代表的なものとして、記録元の光ディスクとしてＣＤ（コンパクトディスク）を用い、書込／書換可能な光ディスクとしてＭＤ（ミニディスク）を用いたものを例として、その動作について簡単に説明する。
【０００４】
音楽用或いは非音楽用データが記録されているＣＤが標準再生速度での回転速度よりも高速で回転され、トラックより小さな単位で記録データが読み出されて、所定の記録単位（例えば、読出単位／トラックより小さなデータブロックごと、またはＣＤごと）に、ＭＤに書き込まれる。
【０００５】
ここで、ＣＤ等のディスクでは、記録密度の向上のために、信号は、この信号が読み出されるときの線速度が一定となるＣＬＶ（Ｃｏｎｓｔａｎｔ  Ｌｉｎｅａｒ  Ｖｅｌｏｃｉｔｙ）方式により記録されている（たとえば特許文献１）。このため、ディスクの記録領域の全域にわたって、一定の線速度が確保できるように、半径が小さい内周部分が再生されるときには、ディスクが高速回転され、半径が大きい外周部分を再生するときには、ディスクが低速回転される。そして、このディスクを回転させるためのモータには、一般的には、ブラシモータが用いられる。このブラシモータは、安価に入手可能であるというメリットを有する一方で、その回転数の保証値（十分な再生能力を保証できる回転数）が低いというデメリットを有する。そのため、このようなブラシモータを用いた録音装置は、ディスクの半径の小さい、内周部分において、記録されているデータを通常に再生する標準再生速度に対して数倍の高速で再生されるとき、ブラシモータの回転数が上記保証値を容易に超えてしまうという問題がある。そのため、ディスクの最初から最後まで、一定倍速の再生速度でディスクを再生させようとすると高速再生の倍率に限界があった。
【０００６】
そのため、光ディスク高速再生記録装置のモータとして、ブラシレスモータを用いることが考えられる。ブラシレスモータを用いることにより、ディスクの回転数を上げることは可能となるが、ブラシレスモータは、ブラシモータよりも高価である、という問題がある。
【０００７】
そこで、ブラシモータを用いた光ディスク高速再生装置において、ディスクの回転数が高くなる内周部分では、回転数が保証値を越えない範囲であってかつ最高速より遅い一定の倍率の速度、たとえば４倍速でディスクを回転させて高速再生し、ディスクの回転数が低い外周部分では、ディスクの再生速度を最高速、たとえば６倍に切替えてディスクを高速再生すればこの問題を解消することができる。これにより、ブラシモータの回転数の保証値以内で、ディスクを高速再生できる光ディスク高速再生装置を安価に提供することが可能となる。
【特許文献１】特開２００２−２９８４９７号公報
【発明の開示】
【発明が解決しようとする課題】
【０００８】
しかしながら、光ディスク再生装置において、光ディスクの内周と外周との中間において、再生の途中でディスクの再生速度を切り替えると、その切り替え時にシステム全体がリセットされてしまう。そのため、このリセット時に、いったん録音が途切れてしまい、ディスクに記録された信号が途切れてしまう。またこの録音が途切れたときに、誤ってその切り替え部分直後に再生側のＣＤから入ったデータが短時間だけ別のトラックとして検出されて重複されて記録され、不要なトラック、いわゆる「ごみトラック」ができてしまう。この「ごみトラック」によってトラック数が再生源のＣＤと一致せず、またノイズとして再生される。
【０００９】
この「ごみトラック」が生じる理由を説明する。制御部がＣＤを回転駆動して再生するディスクドライブと通信するのに、たとえば１回当たり３４ｍｓ程度の時間を要する。たとえば４倍速で高速録音をしていて、ある時点で６倍速に切り替えができると判断され、曲が終わったので６倍速に切り替えようとする。トラックとトラックとの変化点を検出するのは次のトラックに入ってからであり、ここですぐに通信を開始しても、ＣＤを停止させるべく通信している間に、経過する時間は３４ｍｓでも、４倍速でＣＤを再生していたので、ＣＤ上では３４ｍｓ×４＝１３６ｍｓも本来の停止位置を過ぎてから再生を停止させることになる。したがって次のトラックとして頭出しが早い曲が来た場合には、この時点ですでに次の曲の信号が始まっており、ＭＤ部がそれを検出して有信号のデータが入力されたことに対する記録動作を開始し、結果としてこの部分を１つのトラックとして認識して、記録してしまうためである。
【００１０】
そこで、本発明の目的は、ブラシモータの回転数を保証値以下の範囲に納まるように光ディスクの再生位置に応じて再生速度倍率を切り替えて回転させ、切り替えに伴って「ごみトラック」が生じた場合にはそれを消去しながら、安価なブラシモータでできる限りの高速録音を行う録音装置を提供するものである。
【課題を解決するための手段】
【００１１】
上記目的を達成するために、本発明の録音装置は、第１の光ディスクにトラック単位で記録されたデジタルデータを、標準再生速度よりも速い再生速度で再生して、第２の光ディスクに記録する記録装置であって、前記第１の光ディスクに記録されたデジタルデータを、前記標準再生速度と、前記標準再生速度よりも速い第１の再生速度と、この第１の再生速度よりも速い第２の再生速度とに切替えて再生することができる再生手段と、前記再生手段が再生したデジタルデータを、前記再生速度に応じた速度で前記第２の光ディスクにトラック単位で記録する記録手段と、前記再生手段の再生速度を、前記標準再生速度、前記第１の再生速度、および前記第２の再生速度のいずれかに制御し、このそれぞれの再生速度の間で切替える再生速度制御手段と、前記デジタルデータが前記第１の再生速度で再生されているときに、前記第１の光ディスクの再生位置が所定の絶対時刻に達した後であって、かつトラックとトラックとの間であるか否かを判定する第１の判定手段と、前記第１の光ディスクの再生位置が所定の絶対時刻に達した後のトラックとトラックの間において、第１の再生速度による再生内容の録音終了時点で、開始時点からの第１の光ディスクのトラック番号の増加分に対する第２の光ディスクに現在まで録音したトラック数増加分との比較結果が同一であるか１つ多いかを判定する第２の判定手段と、前記第２の判定手段の判定結果に基づき前記第２の光ディスクの最終トラックを消去する不要トラック消去手段とを備え、前記第１の判定手段が前記再生位置が所定の絶対時刻に達した後であって、かつトラックとトラックとの間であると判定し、かつ前記第２の判定手段が前記第２の光ディスクに現在まで録音したトラック数増加分が、開始時点からの第１の光ディスクのトラック番号の増加分より１つ多いと判定した場合、前記不要トラック消去手段が第２の光ディスクの最終のトラックを消去した後、前記再生速度制御手段が前記第１の光ディスクを第２の再生速度に切り替え、第２の光ディスクに録音するように構成したものである。
【００１２】
本発明は上記の構成により、モータの回転数を保証値以下で光ディスクの再生位置に応じて切り替えて、できる限りの高速で回転させて再生でき、また回転数切り替えに伴い、不要なトラックが誤って記録されても自動的に消去することができる。
【発明の効果】
【００１３】
以上説明したように、本発明の録音装置によれば、ブラシモータの回転数を保証値以下で回転させつつ高速録音ができる長寿命の録音装置を提供することができ、その際に不要なトラックが発生しても自動的に消去できるという効果が得られる。
【発明を実施するための最良の形態】
【００１４】
以下に、本発明の一実施形態について、図面を参照しながら説明する。図１は本発明の一実施形態における録音装置の全体構成を示すブロック図である。
【００１５】
図１に示すように、本実施形態の録音装置は、大別して、ＣＤドライブ１、ＭＤドライブ２、オペレーションコントローラ３、高速録音キー４および表示器５を備える。録音装置には受光器６を備えて、リモコン７によって高速録音キーや、その他種々の操作を遠隔操作できるようにしてもよい。
【００１６】
なお、この録音装置には、ＣＤドライブ１およびＭＤドライブ２から読み出された信号に種々の処理を施して、音声信号、映像、或いはコンピュータデータを生成してスピーカやモニター或いは他の記録装置に出力する読出信号処理部も含まれるが、本発明の特徴ではないので、図示および説明を省く。
【００１７】
高速録音キー４は、ＣＤからＭＤへの高速録音をユーザが録音装置に開始させるための入力部である。表示器５は、蛍光表示管などの発光手段や液晶表示装置などで構成されて、録音装置の動作モードなどの情報を光学的にユーザに提示する。
【００１８】
ＣＤドライブ１は、ディスクドライブ１０１、光ディスク制御器（以下、ＯＤＣと称す）１０２、再生速度切替機１０３およびドライブシステムコントローラ１０４を含む。ＣＤドライブ１は、光ディスク（ここではＣＤ）からＣＤデータＳｃｄを読み出してＯＤＣ１０２に出力する。
【００１９】
ドライブシステムコントローラ１０４は、オペレーションコントローラ３から指示された再生速度でディスクを再生させるために、その再生速度に対応する回転速度を表す回転速度指示信号Ｓｒｎを生成して、再生速度切替器１０３に出力する。
【００２０】
再生速度切替器１０３は、回転速度指示信号Ｓｒｎに基づいて、ディスクドライブ１０１を、オペレーションコントローラ３から指示された再生速度に対応した速度で回転させる。つまり、ＣＤの場合はＣＬＶ制御のために、データの読出速度である読出位置における線速度がオペレーションコントローラ３の指示した倍率の再生速度になるように、半径方向における位置に対応した回転数になるように制御される。再生速度切替器１０３は、ＣＤからデータを読み出している速度を表す読出速度信号Ｓｒｓを生成して、ＯＤＣ１０２に出力する。
【００２１】
ＯＤＣ１０２は、読出速度信号Ｓｒｓに基づいて、ディスクドライブ１０１から入力されるＣＤデータＳｃｄから、オーディオデータ（或いはコンピュータ用コンテンツデータ）ＳａｄとサブコードＳｓｂとを取り出してＭＤドライブ２の書込読出器２０１に出力する。また、ＯＤＣ１０２は、ドライブシステムコントローラ１０４に対して、サブコードＳｓｂと共にＴＯＣ（Ｔａｂｌｅ  ｏｆ  Ｃｏｎｔｅｎｔｓ）情報も出力する。そして、ドライブシステムコントローラ１０４は、オペレーションコントローラ３に対して、サブコードＳｓｂと共にＴＯＣ情報を出力する。
【００２２】
ＭＤドライブ２は、書込読出器２０１、ＭＤディスク２０２およびＭＤシステムコントローラ２０３を含む。なお、ＭＤドライブ２には、さらに、ＭＤディスク２０２を回転させる駆動手段およびその関連の部材も含まれるが、それらは本発明の特徴とするものではないので説明を省く。
【００２３】
ＭＤドライブ２は、ＣＤドライブ１から入力される、ＣＤから読み出し再生されたオーディオデータＳａｄおよびサブコードＳｓｂを、ＭＤ用のオーディオデータＳＡａｄおよびサブコードＳＡｓｂに変換して、ＭＤディスク２０２に書込む。また、ＭＤドライブ２は、サブコードＳＡｓｂを記録トラック番号検出器２０３−１に出力する。ＭＤシステムコントローラ２０３は、オペレーションコントローラ３からの指示に応じて、書込読出器２０１のＭＤディスク２０２に対する書込を制御する。ＭＤドライブ２はＣＤドライブ１から受け取ったクロックに基づいてＣＤドライブの再生速度に応じた速度で記録することができる。ここで、ＭＤシステムコントローラ２０３は、記録トラック番号検出器２０３−１を含む。
【００２４】
記録トラック番号検出器２０３−１は、書込読出器２０１から出力されるサブコードＳＡｓｂを参照して、ＭＤディスク２０２に記録されている最中にトラック番号が変化したか否かを判定し、あるいは現在のトラック番号が何であるかを検出する。
【００２５】
それでは、記録トラック番号検出器２０３−１によるトラック変化の検出方法について図面を参照しながら説明する。図２は、本実施形態におけるサブコードＳＡｓｂの構成を示す図である。また、図３は、サブコードＳＡｓｂに対応するトラック番号の変化、インデックスの変化および絶対時間（ＡＴＩＭＥ）の変化を示す図である。
【００２６】
まず、サブコードＳＡｓｂについて説明する。なお、ここで検出に用いるサブコードＳＡｓｂは、ＭＤ用のサブコードであるが、原則的には、ＣＤ用のサブコードＳｓｂと類似の構成を持っているので、代表としてＣＤのサブコード情報の場合について説明する。サブコードＳｓｂは、図２に示されるように、トラック番号４００、インデックス４０１、トラック内での経過時間の分（ＭＩＮ）４０２、トラック内での経過時間の秒（Ｓｅｃ）４０３、トラック内でのフレーム番号（ＦＲＡＭＥ）４０４、ゼロ４０５、絶対時間（ＡＴＩＭＥ）の分（ＡＭＩＮ）４０６、絶対時間（ＡＴＩＭＥ）の秒（ＡＳＥＣ）４０７および絶対時間（ＡＴＩＭＥ）のフレーム番号（ＡＦＲＡＭＥ）４０８を備える。
【００２７】
トラック番号４００は、データの属するトラック番号を示し、２ディジットのＢＣＤ（Ｂｉｎａｒｙ  Ｃｏｄｅｄ  Ｄｅｃｉｍａｌ）で表現される。インデックス４０１は、トラックを細分化したものであり、２ディジットのＢＣＤで表現される。図３の中段には、このインデックス４０１の変化の様子が示されている。インデックス４０１が「００」の部分は、トラックとトラックとの間のＰａｕｓｅの部分を示している。また、インデックス４０１は、トラック内では、「０１」から始まり、トラック内の楽曲が進行するにつれて、インクリメントする。
【００２８】
ＭＩＮ４０２、ＳＥＣ４０３およびＦＲＡＭＥ４０４は、トラック内での経過時間を示しており、６ディジットのＢＣＤで表現される。ゼロ４０５は、８ビット間「０」のデータが続く部分である。
【００２９】
絶対時間（ＡＴＩＭＥ）は、ＡＭＩＮ４０６、ＡＳＥＣ４０７およびＡＦＲＡＭＥ４０８を含んでおり、ディスク内での絶対的な位置を表す時間を示し、６ディジットのＢＣＤにより表現される。図３の下段は、ＡＴＩＭＥが増加していることを、可視化した図である。
【００３０】
それでは、以下にこの記録トラック番号検出器２０３−１によるトラック変更の検出方法について説明する。記録トラック番号検出器２０３−１は、書込読出器２０１から出力されてくるサブコードＳＡｓｂのインデックス４０１を検出することで、トラック変更の検出を行っている。より具体的には、記録トラック番号検出器２０３−１は、トラック番号４００が変化し、かつインデックス４０１が「０１」になった場合には、ＭＤディスク２０２で記録されているトラックが変更されたと判断する。これは、図３に示されるように、トラックが切り替わるときに、インデックスが「０１」になり、又インデックスが「００」の部分すなわち「Ｐａｕｓｅ」が存在しないこともあるからである。先に「ごみトラック」ができる原因として挙げた、頭出しの早い曲はインデックス「００」の部分がない場合に起こりやすい。
【００３１】
次に、オペレーションコントローラ３について説明する。オペレーションコントローラ３は、再生トラック番号検出器３０１、再生トラック曲頭のアドレスを検出するアドレス検出器３０２、トラック番号比較器３０３、再生速度切替可否判断器３０４および不要トラック消去器３０５を含み、ＣＤドライブ１、ＭＤドライブ２、高速録音キー４および表示部５に接続されて、この録音装置全体の動作を制御する。
【００３２】
アドレス検出器３０２は、ドライブシステムコントローラ１０４からサブコードＳｓｂとともに出力されるＴＯＣ情報を格納する。このＴＯＣ情報からトラック曲頭のアドレスを検出できるので、再生速度を切り替えたい所定の絶対時間の前・後のトラック番号を判定し、トラック番号比較器３０３に出力する。
【００３３】
再生トラック番号検出器３０１は、ＣＤドライブ１が再生しているトラックが変化したか否かを、ドライブシステムコントローラ１０４から出力されるサブコードＳｓｂのトラック４００とインデックス４０１とを参照して判定し、その判定結果をトラック番号比較器３０３に出力する。
【００３４】
トラック番号比較器３０３は再生時間が所定の絶対時刻を超えて速度を切り替える箇所の１つ手前のＣＤ再生トラック内外でのＭＤ記録トラック番号とＣＤ再生トラック番号とを比較し、比較結果を再生速度切替可否判断器３０４と不要トラック消去器３０５とに出力する。
【００３５】
ここで、上記のＴＯＣ情報について、図面を用いて説明する。図７は、ＴＯＣ情報の構成の一例を示した図である。ＴＯＣ情報は、フレーム番号、Ｐｏｉｎｔ、ＰＭＩＮ、ＰＳＥＣおよびＰＦＲＡＭＥを備える。ＴＯＣ情報は、ディスクに格納されており、ディスクドライブ１０１により読み出され、ＯＤＣ１０２に対して出力される。
【００３６】
フレーム番号は、ＴＯＣ情報中でのフレームの番号を示している。Ｐｏｉｎｔは、数字のみの場合には、トラックの番号を示す。また、ＰｏｉｎｔがＡ０の場合には、そのフレームには、最初のトラックの番号の情報が含まれていることを示す。また、ＰｏｉｎｔがＡ１の場合には、そのフレームには、最後のトラックの番号の情報が含まれていることを示す。また、ＰｏｉｎｔがＡ２の場合には、そのフレームには、ディスクに記録されているトータルの時間の情報が含まれていることを示す。また、ＰＭＩＮは、各トラックの始まる時間の情報の内、分の情報が含まれる。ＰＳＥＣは、各トラックの始まる時間の情報の内、秒の情報が含まれる。ＰＦＲＡＭＥは、各トラックの始まる時間の内、フレームの情報が含まれる。
【００３７】
ここで、所定の絶対時刻について図面を参照しながら説明する。図４は、４倍速でディスクを再生させた場合および６倍速でディスクを再生させた場合において、このディスクの再生位置と、その再生位置におけるディスク回転数との関係を示したグラフである。なお、ここでは、６倍速の再生速度を保証するために、モータ回転数としてたとえば７倍速を保証するものが用いられている。
【００３８】
まず、本実施形態で用いたブラシモータの保証回転数は、図４の点線に示されるように２７００ｒｐｍである。しかし、ディスク内周付近において、６倍速による再生を行うために必要な回転数は、２７００ｒｐｍ以上である。そこで、本実施形態の録音装置は、高回転数が必要となるディスク内周部分では、４倍速でディスクの再生を行う。その後時間が経過して、ディスクの回転数が２７００ｒｐｍ以下で６倍速の再生が可能な位置（臨界点）に再生位置が到達し、臨界点が過ぎたあとで再生位置がトラックの切り替わる位置に到達した場合には、録音装置は再生モードを６倍速での再生に切替える。
【００３９】
この再生速度を切り替える臨界点を所定の絶対時刻とする。絶対時刻と定義したのは、高速再生される場合の経過時間と記録媒体上の記録位置の推移とは異なるからである。
【００４０】
そこで、２７００ｒｐｍの回転数で６倍速による再生が可能な再生位置（臨界点）を、以下に算出する。ここで、本実施形態のディスクは、ＣＬＶ方式による記録がなされているので、ディスクの記録時の線速度は、１．４ｍ／ｓで一定であるとする。また、ディスクの回転速度は、６倍速の再生を保証するために、７倍速の値で回転させられている。さらに、データが書き込まれている先頭部分の半径は、ディスク中心から２５ｍｍである。さらに、トラックピッチは、０．００１６ｍｍとしている。以上の条件において、６倍速再生時に、ディスクの回転数が２７００ｒｐｍになるディスク中心からの位置は、以下の式（１）で表される。
【００４１】
【数１】
2005032370.tif 000003
【００４２】
上記式（１）に、上述した条件を当てはめると、６倍速の再生時において、ディスクの回転速度が２７００ｒｐｍに到達するのは、ディスクの中心から３４．７ｍｍの位置である。そこで、ディスクの中心から３４．７ｍｍの位置が、絶対時間の何分に相当するのかを、以下に算出する。ここで、ディスクの中心からの位置と絶対時間との関係は、以下の式（２）で示される。
【００４３】
【数２】
2005032370.tif 000004
【００４４】
上記式（２）に、上述した条件を当てはめると、ディスクの中心から３４．７ｍｍの位置は、絶対時間で１３．５分の位置である。そこで、本実施形態では、上記の所定の絶対時刻の一例として、１３．５分を用いる。
【００４５】
以上のように構成された録音装置について、以下に「ごみトラック」を検出し、それを自動的に消去する動作を説明する。検出方法としては以下のように判断する。
【００４６】
（判断Ａ）４倍速録音の最後のトラックに入った時点で、高速録音開始時点からのＣＤトラック番号の増加分とＭＤに現在まで録音してきたトラック数の増加分とを比較する。トラック数がもしもずれているときは、そのディスク内はそのまま最後まで録音を継続させる。
【００４７】
ここで、トラック数がずれている、ということは、何らかの原因でＭＤ側のトラック数のインクリメントが正しく記録されていないということなので、この状態で速度を切り替えると、録音されている、「ごみトラック」でない部分も消去してしまう恐れがあるので、安全対策としてこのように設定する。トラック数がずれていないときは次の判断２を実行する。
【００４８】
（判断Ｂ）判断１で、トラック数が同じであった場合、すなわちＭＤのトラックのインクリメントが正しく記録されている場合、４倍速録音終了時点で、開始時点からのＣＤトラック番号の増加分と、ＭＤに現在まで録音したトラック数とをもう一度比較し、比較の結果、「ＭＤが１曲多い」となればＭＤに記録された最後のトラックは「ごみトラック」と判定し、このトラックを消去する。そうでないときは、「ごみトラック」はないものとして、速度を６倍速に切り替えて録音を継続する。
【００４９】
なお、本実施形態で示す各処理は、コンピュータを用いてソフトウェア的に実現するか、あるいはそれら各処理を行う専用のハードウェア回路を用いて実現することができる。
【００５０】
それでは、以下に、本実施形態による録音装置において、４倍速による高速録音が開始され、録音途中で録音速度が６倍速による高速録音に切替えられる場合について、図面を参照しながら説明する。図５は、上記動作が行われているときの本実施形態による録音装置で行われる処理を示すフローチャートである。
【００５１】
この処理は、ユーザが高速録音キー４を押すことにより開始される。ステップＳ２で、オペレーションコントローラ３は、高速録音キー４がＯＮにされたか否かを判定しながら待機している。高速録音キー４がＯＮにされた場合には、処理はステップＳ４に進む。一方、高速録音キー４がＯＮにされていない場合には、処理はステップＳ２に戻る。
【００５２】
高速録音キー４がＯＮにされた場合、ステップＳ４で、オペレーションコントローラ３は、ＭＤシステムコントローラ２０３に対して４倍速に対応したＭＤの録音を開始させると共に、ドライブシステムコントローラ１０４に対してディスクの４倍速の高速再生を開始させる。
【００５３】
すなわち、ドライブシステムコントローラ１０４は、４倍速でディスクを再生させるために、４倍速再生速度に対応する回転速度を表す回転速度指示信号Ｓｒｎを生成して、再生速度切替器１０３に出力する。それに応じて、再生速度切替器１０３は、回転速度指示信号Ｓｒｎに基づいて、読出速度信号Ｓｒｓを作成し、ＯＤＣ１０２に出力することで、ディスクドライブ１０１を、４倍速に対応した速度で回転させる。それに応じて、ＯＤＣ１０２は、読出速度信号Ｓｒｓに基づいて、ディスクドライブ１０１から入力されるＣＤデータＳｃｄから、オーディオデータＳａｄとサブコードＳｓｂとを取り出してＭＤドライブ２の書込読出器２０１に出力する。また、ＯＤＣ１０２は、サブコードＳｓｂをドライブシステムコントローラ１０４に出力する。さらに、ＯＤＣ１０２から出力されたサブコードＳｓｂは、再生トラック番号検出器３０１およびアドレス検出器３０２に対して出力される。これにより、ＣＤドライブ１は、４倍速によるディスクの再生を開始する。
【００５４】
一方、ＭＤシステムコントローラ２０３は、書込読出器２０１に対して、４倍速対応の録音を開始させる。これにより、書込読出器２０１は、ＯＤＣ１０２から出力されてくるオーディオデータＳａｄおよびサブコードＳｓｂを、ＭＤ用のフォーマットのオーディオデータＳＡａｄおよびサブコードＳＡｓｂに変換して、これらをＭＤディスク２０２に４倍速で書き込む。さらに、このサブコードＳＡｓｂは、記録トラック番号検出器２０３−１に対して出力される。
【００５５】
次に、ステップＳ６で、ドライブシステムコントローラ１０４は、ディスクに含まれる全トラックの再生が終了したか否かを判定する。全トラックの再生が終了した場合には、本処理はステップＳ８に進む。一方、全トラックの再生が終了していない場合には、本処理はステップＳ１０に進む。
【００５６】
全トラックの再生が終了した場合には、ドライブシステムコントローラ１０４は、オペレーションコントローラ３にその旨を通知する。それに応じて、オペレーションコントローラ３は、ドライブシステムコントローラ１０４に対して、ディスクの再生停止を指示すると共に、ＭＤシステムコントローラ２０３に対してＭＤの録音を停止させることを指示する。これにより、ステップＳ８でＣＤドライブ１のディスクの再生が停止し、ＭＤシステム２のＭＤディスク２０２の録音が停止する。
【００５７】
一方、全トラックの再生が終了していない場合には、ドライブシステムコントローラ１０４は、オペレーションコントローラ３に対して、その旨を通知する。それに応じて、ステップＳ１０で、オペレーションコントローラ３の再生トラック番号検出器３０１は、ドライブシステムコントローラ１０４から出力されてきているサブコードＳｓｂから、再生トラック番号が変化したかを判定する。この判定は、上述したように、サブコードＳｓｂのトラック４００が変化し、かつインデックス４０１が「０１」になったか否かによって行われる。
【００５８】
再生トラック番号が変化していなければステップＳ６へ戻る。変化していれば、ステップＳ１２でディスクの再生トラック番号が所定の絶対時刻の１３．５分を経過する直前のトラックであるか否かを判定する。ここで１３．５分を経過する直前のトラックとは、そのトラックの再生途中で絶対時刻１３．５分が経過するトラックのことである。この処理は、アドレス検出器３０２のＴＯＣ情報記憶手段が記憶しているＴＯＣ情報と、再生トラック番号検出器３０１の出力とをトラック番号比較器３０３に入力し、ＴＯＣ情報から１３．５分経過直前のトラック番号が判明し、それと再生トラック番号検出器３０１の出力とから、現在の再生トラック番号がそれに該当するか否かを判定する。
【００５９】
ここで、ディスクの再生時間が１３．５分を経過する直前のトラックである場合には、本処理は、ステップＳ１４に進む。一方、ディスクのトラックが１３．５分を経過する直前のトラックでない場合には、本処理はステップＳ６に戻る。
【００６０】
ステップＳ１２でディスクの再生時間が１３．５分を経過する直前のトラックである場合には、ステップＳ１４でトラック番号比較器３０３はＭＤシステムコントローラ２０３の記録トラック番号検出器２０３−１よりＭＤ記録トラック番号が変化したかどうかを判定する。変化がない場合は、変化あるまで待機し、変化があればステップＳ１６に進む。
【００６１】
ステップＳ１４でＭＤの記録中のトラック番号が変化した場合には、ステップＳ１６で記録トラック番号検出器２０３−１は、トラック番号比較器３０３にその旨通知する。トラック番号比較器３０３は、再生トラック番号検出器３０１の示すＣＤ再生トラック番号と、記録トラック番号検出器２０３−１の示すＭＤ記録トラック番号とを比較し、一致すればステップＳ１８へ進む。一致しない場合はステップＳ６へ戻る。すなわちこれは前述した（判断Ａ）に相当し、この場合は最後まで再生速度を切り替えないで録音を継続する。
【００６２】
ステップＳ１８においてＭＤ最終記録トラック番号（ＭＤＴｒ）を記憶してステップＳ２０へ進む。ステップＳ２０においてトラック番号比較器３０３はＣＤ再生トラックの変化を判定し、変化があるまで待機し、変化があればその結果を再生速度切替可否判断器３０４に伝え、再生速度切替可否判断器３０４は切り替え時期が来たと判断してドライブシステムコントローラ１０４とＭＤシステムコントローラ２０３に結果を通知し、ドライブシステムコントローラ１０４とＭＤシステムコントローラ２０３はディスクドライブ１０１とＭＤディスク２０２に指示して録音を中断してＣＤ、ＭＤを共に停止させる（ステップＳ２２）。このステップＳ１２からステップＳ２２までの範囲の判断を第１の判断手段の動作とする。
【００６３】
つぎにステップＳ２４でトラック番号比較器３０３は記録トラック番号検出器２０３−１からＭＤ記録トラック番号を取得し、これが先に記憶したＭＤＴｒより１つ多くなっていないか判定し、多くなっていればＭＤの最終トラックは停止のタイミング遅れのためにＣＤの次のトラックの頭を別のトラックと検出して記録してしまった不要なトラック（ごみトラック）として不要トラック消去器３０５に出力する。ステップＳ２６で、不要トラック消去器３０５は、ＭＤシステムコントローラ２０３に対して書込読出器２０１を介してＭＤの最終のトラックの消去を命じ、ステップＳ２８へ進む。ステップＳ２４でＭＤ記録トラック番号が、先に記憶したＭＤＴｒと記録トラック番号検出器２０３−１から取得したＭＤ記録トラック番号と一致すれば、それはごみトラックが出来なかったものとして、ステップＳ２８へ進む。これが前述の（判断Ｂ）に相当する。そうしてステップＳ２８で、これまで実施したＭＤの録音内容を確定する。このステップＳ２４の判断を第２の判断手段、ステップＳ２６の動作を不要トラック消去手段とする。
【００６４】
次に、オペレーションコントローラ３は、ドライブシステムコントローラ１０４に対して、再生速度を４倍速から６倍速に切替えるように指示する。それに応じて、ドライブシステムコントローラ１０４は、ディスクの再生速度を４倍速から６倍速に切替える（ステップＳ３０）。より具体的には、ドライブシステムコントローラ１０４は、６倍速でディスクを再生させるために、その再生速度に対応する回転速度を表す回転速度指示信号Ｓｒｎを生成して、再生速度切替器１０３に出力する。それに応じて、再生速度切替器１０３は、回転速度指示信号Ｓｒｎに基づいて、読出速度信号Ｓｒｓを作成し、ＯＤＣ１０２に出力することで、ディスクドライブ１０１を、６倍速に対応した速度で回転させる。
【００６５】
一方、ＭＤシステムコントローラ２０３は、書込読出器２０１に対して、６倍速対応の録音を開始させる（ステップＳ３２）。次に、ドライブシステムコントローラ１０４は、ステップＳ２８で録音が確定したトラックの次のトラックから、ディスクの６倍速再生を開始する（ステップＳ３４）。なお、図３に示されるトラックの場合、１３．５分を経過後、トラックの切り替わりが発生するのは、トラック３の最初である１６分２８秒６３フレームの位置である。図６に示されるように、１６分２８秒６３フレームにおいて、ディスクの再生速度が４倍速から６倍速に切替えられる。
【００６６】
次に、ステップ３６でＯＤＣ１０２は、自らの内部メモリにおいてアンダーランが発生したか否かを判定する（第３の判断手段）。すなわち、ＯＤＣ１０２に入力してくるデータ量よりも、ＯＤＣ１０２から出力するデータ量が多いことにより、ＯＤＣ１０２の内部メモリが空になったか否かが判定される。アンダーランが発生していない場合には、本処理はステップＳ３８に進む。アンダーランが発生している場合には、本処理はステップＳ４０に進む。
【００６７】
アンダーランが発生していない場合には、ステップＳ３８で、ドライブシステムコントローラ１０４は、再生中のディスクの全トラックの再生が終了したか否かを判定する。全トラックの再生が終了した場合には、本処理はステップＳ８に進み、ディスクの再生および録音を終了する。全トラックの再生が終了していない場合には、本処理はステップＳ３６に戻る。すなわち、ステップＳ３６および３８では、ドライブシステムコントローラ１０４が、録音が終了するまでの間、アンダーランが発生したか否かを繰り返し判定している。
【００６８】
一方、アンダーランが発生している場合には、ドライブシステムコントローラ１０４は、アンダーランが発生していることをオペレーションコントローラ３を介して、ＭＤシステムコントローラ２０３に通知する。それに応じて、ＭＤシステムコントローラ２０３は、書込読出器２０１に、６倍速に切替えた後からＭＤディスク２０２に録音した部分を廃棄させる（ステップＳ４０）。
【００６９】
次に、オペレーションコントローラ３は、ドライブシステムコントローラ１０４に対して、再生速度を６倍速から１倍速に切替えるように指示を行う。これに応じて、ドライブシステムコントローラ１０４は、ディスクの再生速度を６倍速から１倍速に切替える（ステップＳ４２）。より具体的には、ドライブシステムコントローラ１０４は、１倍速でディスクを再生させるために、１倍速再生速度に対応する回転速度を表す回転速度指示信号Ｓｒｎを生成して、再生速度切替器１０３に出力する。これに応じて、再生速度切替器１０３は、回転速度指示信号Ｓｒｎに基づいて、読出速度信号Ｓｒｓを作成し、ＯＤＣ１０２に出力することで、ディスクドライブ１０１を、１倍速に対応した速度で回転させる。
【００７０】
次に、ＭＤシステムコントローラ２０３は、書込読出器２０１に対して、１倍速対応の録音を開始させる（ステップＳ４４）。次に、ドライブシステムコントローラ１０４は、ステップＳ２８で録音を確定させたトラックの次のトラックから、すなわち１３．５分を過ぎて最初のトラックから、ディスクの１倍速再生を開始する（ステップＳ４６）。これにより、ディスクの再生速度が６倍ではなく１倍に切替えられる。
【００７１】
次に、ドライブシステムコントローラ１０４は、ステップＳ４８でディスクの全トラックの再生が終了したか否かを判定する。全トラックの再生が終了していない場合には、ステップＳ４８を繰り返す。一方、全トラックの再生が終了した場合には、本処理はステップＳ８に進み、録音の終了処理を行う。
【００７２】
以上で、本実施形態による録音装置において、４倍速による高速録音が開始され、録音途中で６倍速による高速録音に録音速度が切替えられる場合についての説明を終了する。
【００７３】
以上のように、本実施形態の録音装置によれば、標準の再生速度に対する倍率をディスク上の再生位置に応じて切り替えることにより、モータの回転数が所定回転数以上にならないので、モータに安価なブラシレスモータを適用することができ、装置全体のコスト削減が図られる。そしてブラシモータの保証回転数の範囲内で使用されるので、装置の寿命を長く確保した上での高速録音動作が可能となる。
【００７４】
また、本実施形態の録音装置によれば、再生速度の切替が、トラックの切り替わるところで行われ、その際に、ＭＤディスク側で発生した不必要なトラックは自動的に削除されるので、ＣＤと全く同じ内容の記録が可能となる。
【００７５】
また、ＯＤＣにおいて、アンダーランが発生した場合であっても、ディスクの再生速度を１倍速に切り替えられるので、高速再生によって生じるアンダーランにより録音が途切れることがない。
【００７６】
なお、上記の実施形態では、ＴＯＣ情報を用いて所定の絶対時刻を判定しているが、所定の絶対時刻が経過したか否かの判定の方法は、これに限らず、オペレーションコントローラがＣＤドライブから出力されたサブコードの絶対時間ＡＴＩＭＥに基づいて、ディスクの再生時間が所定の絶対時刻を経過したか否かを判定しても差し支えない。
【００７７】
また、上記の実施形態では、高速再生の倍率は、４倍から６倍に切り替えるとしているが、これらの倍率は、４倍と６倍とに限らない。また切り替えは２回以上行ってもよい。
【００７８】
また高速再生の倍率だけでなく、実施形態で説明に用いた数値は、これに限定されるものではない。
【００７９】
また、上記の実施形態では、再生速度の切替は、トラックとトラックと間で切替えられるものとしているが、再生速度の切替が行われる場所は、これに限らない。より具体的には、トラックとトラックとの間に存在するインデックスが「００」となっている部分において、たとえば２００ｍｓの無信号状態がある場合には、再生速度が切替えられるものとされてもよい。
【００８０】
また、上記の実施形態では、再生側の光ディスクをＣＤとし、録音側の光ディスクをＭＤとしているが、それぞれに用いられるディスクはこれに限らない。また、再生側の装置は、ＣＤドライブであるとしているが、ＣＤやＤＶＤ等複数の種類のディスクを再生することができるいわゆるコンビネーションドライブであってもよい。
【００８１】
また、記録トラック番号検出器は、サブコードのインデックス「０１」を検出するように説明したが、これに限らず、トラック番号のみで検出してもよく、あるいはトラック番号とインデックス「００」とを併せ検出するように構成してもよい。
【００８２】
さらに上記実施形態では、ＣＤは１曲目から再生し、ＭＤはブランクディスクに記録する状態で説明したが、ＣＤの任意の曲から再生する場合も考えられ、またＭＤには記録開始前にすでに数曲が記録済みである、という場合も考えられ、このような組合せであっても本発明は適用できるものである。
【産業上の利用可能性】
【００８３】
以上説明したように、本発明の録音装置は、モータの回転数を保証値以下で回転させつつ高速録音ができる長寿命の録音装置を提供することができ、その際に不要なトラックが発生しても自動的に消去できるものであり、第１の光ディスクにトラック単位で記録されたデジタルデータを、標準再生速度よりも速い再生速度で再生して第２の光ディスクに記録するような録音装置に有用である。
【図面の簡単な説明】
【００８４】
【図１】本発明の一実施形態における録音装置の構成を示すブロック図
【図２】同じくサブコードの構成を示す図
【図３】同じくサブコードに対応するトラック番号の変化、インデックスの変化および絶対時間（ＡＴＩＭＥ）の変化を示す図
【図４】同じく４倍速でディスクを再生させた場合および６倍速でディスクを再生させた場合において、ディスクの再生位置と、その再生位置におけるディスク回転数との関係を示すグラフ
【図５】同じく４倍速による高速録音が開始され、録音途中で６倍速による高速録音に録音速度が切替えられる場合の録音装置で行われる動作を示すフローチャート
【図６】同じく再生速度の切替わりの様子を示す図
【図７】ＴＯＣ情報の構成を示す図
【符号の説明】
【００８５】
１    ＣＤドライブ
２    ＭＤドライブ
３    オペレーションコントローラ
４    高速録音キー
５    表示器
６    受光器
７    リモコン
１０１    ディスクドライブ
１０２    ＯＤＣ
１０３    再生速度切替器
１０４    ドライブシステムコントローラ
２０１    書込読出器
２０２    ＭＤディスク
２０３    ＭＤシステムコントローラ
２０３−１    記録トラック番号検出器
３０１    再生トラック番号検出器
３０２    アドレス検出器
３０３    トラック番号比較器
３０４    再生速度切替可否判断器
３０５    不要トラック消去器
【図１】
2005032370.tif 000005
【図２】
2005032370.tif 000006
【図３】
2005032370.tif 000007
【図４】
2005032370.tif 000008
【図５】
2005032370.tif 000009
【図６】
2005032370.tif 000010
【図７】
2005032370.tif 000011